(57)【要約】【課題】自動検針無線機の無線通信時の通信不良となる原因を容易に識別し、メンテナンス性を高めることができる自動検針無線計測装置を提供する。【解決手段】複数の周波数帯域における電波強度を測定する電波強度測定部８と、電波強度の平均値を算出する電波強度算出部１１と、電波の有無を検出する電波検出部１４と、電波強度を表示する電波強度表示部１７と、複数の周波数帯域から第１と第２の周波数帯域における通信内容を解析する電文解析部１８、１９と、第１と第２の周波数帯域を選択する周波数選択部２４、２５と、現在時刻を計数する時刻計数部２０と、受信した内容を記憶する記憶部２１と、記憶部２１に記憶された内容を電文表示部２２に表示させる制御部２３からなり、制御部２３は、電文表示部２２に対しそれぞれ受信時刻順に受信内容の表示を行うように制御する。【選択図】図１
2005173771.tif 000002
【特許請求の範囲】
【請求項１】
回線を介して隔測検針装置と接続される無線親機とメータに接続される無線子機との間で複数の周波数帯域を切り替えて通信を行う自動検針無線機に対して、無線の通信状態を計測する自動検針無線計測装置において、複数の周波数帯域における電波強度を測定する電波強度測定部と、複数の周波数帯域における電波強度の平均値を算出する電波強度算出部と、前記複数の電波強度算出部から受信検出レベルを設定し電波の有無を検出する電波検出部と、複数の周波数帯域におけるそれぞれの電波強度を同時に表示可能な電波強度表示部と、複数の周波数帯域の中の第１の周波数帯域における電波から通信内容を解析する第１の電文解析部と、第２の周波数帯域における電波から通信内容を解析する第２の電文解析部と、現在時刻を計数する時刻計数部と、前記第１の電文解析部および第２の電文解析部から受信した内容を記憶する記憶部と、前記記憶部に記憶された内容を電文表示部に表示させる制御部からなり、前記制御部は、前記第１の電文通信部からの通信内容と受信時刻及び前記第２の電文通信部からの通信内容と受信時刻を前記記憶部に記憶するとともに、前記電文表示部に受信内容の表示を行うように制御することを特徴とする自動検針無線計測装置。
【請求項２】
第１の周波数帯域を選択する第１の周波数選択部と、第２の周波数帯域を選択する第２の周波数選択部とからなる請求項１記載の自動検針無線計測装置。
【請求項３】
第１の周波数帯域における電波の有無を検出する第１の電波検出部において、電波を検出すると第１の音色で電波受信を知らせる第１の音色発生部と、第２の周波数帯域における電波の有無を検出する第２の電波検出部において、電波を検出すると第２の音色で電波受信を知らせる第２の音色発生部とからなる請求項１記載の自動検針無線計測装置。
【発明の詳細な説明】
【技術分野】
【０００１】
本発明は、ガス、水道、電気等の使用量の検針を行う際の自動検針無線機の通信状態を計測する自動検針無線計測装置に関するものである。
【背景技術】
【０００２】
従来、家庭やオフィスあるいは工場などのガス、水道、電気等の使用量を測定するためのメータに記録されたデータを電話等の通信回線を介して隔測検針装置であるセンタに回収する自動検針システムが普及している。この自動検針システムは、たとえば、各需要家に設置されている電話用の回線とメータとを通信線で接続し、電話回線を介してセンタとメータとで通信を行うものである。
【０００３】
ところで、このような自動検針システムの場合、電話用の回線とメータとを通信線で接続する必要があるため、需要家の屋内外に通信線を引き回し配線する手間と費用が必要であった。特に、電話用の回線とメータとが離れている場合にはこの配線作業はかなりの負担であり、既設の家屋の場合には配線が無理な場合さえあった。
【０００４】
そこで、各需要家の電話用の回線に端末網制御装置（以下「Ｔ−ＮＣＵ」という）を介して無線親機を接続するとともにメータに無線子機を接続し、無線親機と無線子機との間で無線で通信を行うようにすることによって屋内外の配線を不要とする自動検針システムが提案されている（例えば、特許文献１参照）。
【特許文献１】特開平６−８５９３８号公報（第１−４頁、第１図）
【発明の開示】
【発明が解決しようとする課題】
【０００５】
ところでこうしたシステムでは、無線親機と無線子機とが１対１で通信できるように設定する登録作業は、無線子機とメータの接続後、所定の操作、たとえば無線子機と無線親機の起動用スイッチ等を同時に入力することによって無線子機がメータからメータ管理ＩＤを取得し、この取得したメータ管理ＩＤを無線送信により無線親機に送信し、無線親機は無線子機からメータ管理ＩＤを取得すると、次に親機の持っている無線通信に必要な通信情報を無線子機に送信するようになっている。これにより、無線親機と無線子機の登録作業が完了し、以降隔測検針装置であるセンタからメータまでの通信が可能となる。
【０００６】
この登録作業後、隔測検針装置であるセンタからの通信が可能となるわけであるが、無線通信においては通信周波数帯域における妨害波などがあり、無線通信不良となることがある。また、無線通信においてはメータにとりつけられた無線子機の設置条件とりわけ周辺の電波遮蔽物により無線信号の品質が低下し、通信不良が発生することがしばしばある。特に、集合住宅においては周りの建物や、各部屋のレイアウト等によって大きく影響される場合があり、無線通信における通信不良の原因を検出することは作業現場においては非常に困難であり、正常通信できるまでかなりの時間がかかってしまうという問題がある。また、自動検針無線機の無線通信を計測する際に、周囲環境によって、ノイズレベルが大きすぎて無線電波がなかなか検出できなかったり、逆にノイズレベルは低くても無線電波が弱すぎて検出できないという問題もあった。
【０００７】
本発明は上記の点に鑑みてなされたもので、自動検針無線機の無線通信時における通信不良となる原因を容易に識別することができ、自動検針システムのメンテナンス性を高めることができる自動検針無線機の計測装置を提供することを目的とする。
【課題を解決するための手段】
【０００８】
本発明は上記の課題を解決するために、本願の自動検針無線計測装置は、複数の周波数帯域における電波強度を測定する電波強度測定部と、電波強度の平均値を算出する電波強度算出部と、電波の有無を検出する電波検出部と、電波強度を表示する電波強度表示部と、複数の周波数帯域から第１と第２の周波数帯域における通信内容を解析する電文解析部と、第１と第２の周波数帯域を選択する周波数選択部と、現在時刻を計数する時刻計数部と、受信した内容を記憶する記憶部と、記憶部に記憶された内容を電文表示部に表示させる制御部からなり、表示部に対しそれぞれ受信時刻順に受信内容の表示を行うように制御することを備えて構成され、無線通信不良の原因を容易に解析することができる。
【発明の効果】
【０００９】
以上のように、本発明によれば、自動検針無線機の無線通信時における通信不良となる原因を容易に識別することができ、自動検針システムのメンテナンス性を高めることができる。
【発明を実施するための最良の形態】
【００１０】
第１の発明は、回線を介して隔測検針装置と接続される無線親機とメータに接続される無線子機との間で第１の周波数帯域で無線による通信を行い、前記第１の周波数帯域が使用中の場合、第２の周波数帯域に切り替えて無線による通信を行い、前記メータと隔測検針装置との間を通信可能として前記メータの検針を行う自動検針システムの自動検針無線機に対して、無線の通信状態を計測する自動検針無線計測装置において、前記自動検針無線計測装置は、複数の周波数帯域における電波強度を測定する電波強度測定部と、複数の周波数帯域における電波強度の平均値を算出する電波強度算出部と、前記複数の電波強度算出部から受信検出レベルを設定し電波の有無を検出する電波検出部と、複数の周波数帯域におけるそれぞれの電波強度を同時に表示可能な電波強度表示部と、複数の周波数帯域の中の第１の周波数帯域における電波から通信内容を解析する第１の電文解析部と、第２の周波数帯域における電波から通信内容を解析する第２の電文解析部と、現在時刻を計数する時刻計数部と、前記第１の電文解析部および第２の電文解析部から受信した内容を記憶する記憶部と、前記記憶部に記憶された内容を電文表示部に表示させる制御部からなり、前記制御部は前記第１の電文通信部から通信内容を受信したとき、前記時刻計数部から入力した時刻と通信内容を前記記憶部に記憶し、前記第２の電文通信部から通信内容を受信したとき、前記時刻計数部から入力した時刻と通信内容を前記記憶部に記憶するとともに、前記電文表示部に対しそれぞれ受信時刻順に受信内容の表示を行うように制御することにより、無線親機および無線子機間における無線通信において、複数の周波数帯域における電波強度を測定する電波強度測定部から電波強度の平均値を算出する電波強度算出部と、電波強度算出部から受信検出レベルを設定し電波の有無を検出する電波検出部と、複数の周波数帯域における電波強度を表示する電波強度表示部と、複数の周波数帯域の中の第１の周波数帯域（いわゆるメインチャンネル）における通信と第２の周波数帯域（いわゆるサブチャンネル）における通信の両方を監視し、電波があれば通信内容を解析して記憶部に記憶し、表示部に対しそれぞれ受信時刻順に受信内容の表示も行うよう制御する。従って、表示をにより電波状況を確認することが出来るので、通信不良となる原因を容易に識別することができ、自動検針システムのメンテナンス性を高めることができる。なお、電波強度の平均値から数デシベル高めに電波の受信検出レベルを設定すれば、周囲の環境に合わせて受信検出レベルが設定でき、無線電波が検出しやすくなる。
【００１１】
第２の発明は、特に第１の発明において、第１の周波数帯域と第２の周波数帯域を選択できるようにしたもので、システム毎に通信チャンネルが競合しないように、設定変更して通信する場合にも対応できる。
【００１２】
第３の発明は、特に第１の発明において、第１の周波数帯域と第２の周波数帯域のどちらで受信したか音色で聞き分けできるので、自動検針無線機の無線通信時における通信不良となる原因を容易に識別することができ、自動検針システムのメンテナンス性を高めることができる。
【００１３】
以下、本発明の実施の形態について図面を用いて説明する。
【００１４】
（実施の形態１）
以下本発明の第１の実施の形態を図面に基づいて説明する。
【００１５】
図１は本発明による自動検針無線機を含む自動検針システムおよび自動検針無線計測装置のブロック図である。
【００１６】
１は隔測検針装置であり回線およびＴ−ＮＣＵ２を介して自動検針無線機３の無線親機４と接続される。自動検針無線機３の無線子機５は前記無線親機４に対向して設けられ需要家のメータ６に接続される。
【００１７】
７は自動検針無線計測装置で、８は第１の周波数帯域における電波強度を測定する第１の電波強度測定部９と、第２の周波数帯域における電波強度を測定する第２の電波強度測定部１０を含む電波強度測定部、１１は第１の電波強度算出部１２、第２の電波強度算出部１３を含む電波強度算出部、１４は第１の周波数帯域における電波の有無を検出する第１の電波検出部１５と、第２の周波数帯域における電波の有無を検出する第２の電波検出部１６を含む電波検出部、１７は複数の周波数帯域における電波強度を同時に表示可能な電波強度表示部、１８は第１の周波数帯域における電波から通信内容を解析する第１の電文解析部、１９は第２の周波数帯域における電波から通信内容を解析する第２の電文解析部、２０は現在時刻を計数する時刻計数部、２１は第１の電文解析部１８および第２の電文解析部１９から受信した内容を記憶する記憶部、２３は記憶部２１に記憶された内容を電文表示部２２に表示させる制御部である。
【００１８】
ここで、センターからの自動検針の場合、隔測検針装置１から回線およびＴ−ＮＣＵ２を介して自動検針無線機３の無線親機４に対して、メータの検針要求を送信し、無線親機４から無線子機５に対してメータの検針要求を無線送信して、無線子機５が需要家のメータ６に対して検針要求を送信する。無線子機５はメータ６からの検針応答を受信すると、無線親機４に対して検針応答を無線送信し、無線親機４からＴ−ＮＣＵ２を介して隔測検針装置１に検針応答を送信する。こうして、メータ６の検針値をセンターで集中検針できる。
【００１９】
次に、自動検針無線計測装置の動作を説明する。
【００２０】
まず、自動検針無線計測装置は、無線親機４〜無線子機５間における相互の無線通信を監視し、第１の電波強度測定部９で第１の周波数帯域における電波強度を測定し、第１の電波強度算出部１２で一定時間内の電波強度の平均値を算出すると、第１の電波検出部１５で電波強度の平均値から受信検出レベルを設定し電波の有無を検出する。同様に、第２の電波強度測定部１０で第２の周波数帯域における電波強度を測定し、第２の電波強度算出部１３で一定時間内の電波強度の平均値を算出すると、第２の電波検出部１６で電波強度の平均値から電波の受信検出レベルを設定し電波の有無を検出する。なお、電波強度の平均値から数デシベル高めに電波の受信検出レベルを設定すれば、周囲の環境に合わせて受信検出レベルが設定できる。
【００２１】
さらに、第１の電波検出部１５で第１の周波数帯域における電波を検出すると第１の電文解析部１８で第１の周波数帯域における電波から通信内容を解析し、通信内容を制御部２３に送信する。このとき制御部２３は時刻計数部２０から現在時刻を同時に読み取り、記憶部２１に通信内容および現在時刻を記憶させる。また、第２の電波検出部１６で第２の周波数帯域における電波を検出すると第２の電文解析部１９で第２の周波数帯域における電波から通信内容を解析し、通信内容を制御部２３に送信する。このとき制御部２３は時刻計数部２０から現在時刻を同時に読み取り、記憶部２１に通信内容および現在時刻を記憶させる。このときの無線通信内容は送信元アドレス、送信先アドレス、データ種別、データ本文等であり、どこからどこへどのような通信が行われたかが判断できるものである。制御部２３は記憶部２１に記憶された通信内容および通信時刻等を電文表示部２２に表示させる。
【００２２】
また、第１の周波数帯域における電波強度を測定する第１の電波強度測定部９と、第２の周波数帯域における電波強度を測定する第２の電波強度測定部１０を含む電波強度測定部８を介して制御部２３へ測定された複数の電波強度を電波強度表示部１７で表示する。この電波強度表示部１７により、第１の周波数帯域（いわゆるメインチャンネル）における通信と第２の周波数帯域（いわゆるサブチャンネル）以外の電波状況も確認できる。
【００２３】
（実施の形態２）
本発明の第２の実施の形態について図面を用いて説明する。
【００２４】
図２は自動検針無線機を含む自動検針システムおよび自動検針無線計測装置のブロック図である。図１と同一のものには同一の符号を付してある。
【００２５】
１は隔測検針装置であり回線およびＴ−ＮＣＵ２を介して自動検針無線機３の無線親機４と接続される。自動検針無線機３の無線子機５は前記無線親機４に対向して設けられ需要家のメータ６に接続される。
【００２６】
７は自動検針無線計測装置で、８は第１の周波数帯域における電波強度を測定する第１の電波強度測定部９と、第２の周波数帯域における電波強度を測定する第２の電波強度測定部１０を含む電波強度測定部、１１は第１の電波強度算出部１２、第２の電波強度算出部１３を含む電波強度算出部、１４は第１の周波数帯域における電波の有無を検出する第１の電波検出部１５と、第２の周波数帯域における電波の有無を検出する第２の電波検出部１６を含む電波検出部、１７は複数の周波数帯域における電波強度を同時に表示可能な電波強度表示部、１８は第１の周波数帯域における電波から通信内容を解析する第１の電文解析部、１９は第２の周波数帯域における電波から通信内容を解析する第２の電文解析部、２０は現在時刻を計数する時刻計数部、２１は第１の電文解析部１８および第２の電文解析部１９から受信した内容を記憶する記憶部、２４は第１の周波数帯域を選択する第１の周波数選択部、２５は第２の周波数帯域を選択する第１の周波数選択部、２３は記憶部に記憶された内容を電文表示部２２に表示させる制御部である。
【００２７】
ここで、センターからの自動検針の場合、隔測検針装置１から回線およびＴ−ＮＣＵ２を介して自動検針無線機３の無線親機４に対して、メータの検針要求を送信し、無線親機４から無線子機５に対してメータの検針要求を無線送信して、無線子機５が需要家のメータ６に対して検針要求を送信する。無線子機５はメータ６からの検針応答を受信すると、無線親機４に対して検針応答を無線送信し、無線親機４からＴ−ＮＣＵ２を介して隔測検針装置１に検針応答を送信する。こうして、メータ６の検針値をセンターで集中検針できる。
【００２８】
次に、自動検針無線計測装置の動作を説明する。
【００２９】
まず、自動検針無線計測装置は、無線親機４〜無線子機５間における相互の無線通信を監視し、第１の電波強度測定部９で第１の周波数帯域における電波強度を測定し、第１の電波強度算出部１２で一定時間内の電波強度の平均値を算出すると、第１の電波検出部１５で電波強度の平均値から受信検出レベルを設定し電波の有無を検出する。第２の電波強度測定部１０で第２の周波数帯域における電波強度を測定し、第２の電波強度算出部１３で一定時間内の電波強度の平均値を算出すると、第２の電波検出部１６で電波強度の平均値から電波の受信検出レベルを設定し電波の有無を検出する。なお、電波強度の平均値から数デシベル高めに電波の受信検出レベルを設定すれば、周囲の環境に合わせて受信検出レベルが設定できる。
【００３０】
さらに、第１の電波検出部１５で第１の周波数帯域における電波を検出すると第１の電文解析部１８で第１の周波数帯域における電波から通信内容を解析し、通信内容を制御部２３に送信する。このとき制御部２３は時刻計数部２０から現在時刻を同時に読み取り、記憶部２１に通信内容および現在時刻を記憶させる。また、第２の電波検出部１６で第２の周波数帯域における電波を検出すると第２の電文解析部１９で第２の周波数帯域における電波から通信内容を解析し、通信内容を制御部２３に送信する。このとき制御部２３は時刻計数部２０から現在時刻を同時に読み取り、記憶部２１に通信内容および現在時刻を記憶させる。このときの無線通信内容は送信元アドレス、送信先アドレス、データ種別、データ本文等であり、どこからどこへどのような通信が行われたかが判断できるものである。制御部２３は記憶部２１に記憶された通信内容および通信時刻等を電文表示部２２に表示させる。
【００３１】
そして、第１の周波数選択部２４は第１の周波数帯域（メインチャンネル）たとえば１チャンネルから６チャンネルの中からを希望のチャンネルを選択する。第２の周波数選択部２５は第２の周波数帯域（サブチャンネル）たとえば１チャンネルから６チャンネルの中からを希望のチャンネルを選択する。第１の周波数選択部２４からのチャンネル選択により制御部２３は、第１の電波強度測定部９、第１の電波検出部１５および第１の電文解析部１８に対してチャンネルの変更を行う。第２の周波数選択部２５からのチャンネル選択により制御部２３は、第１の電波強度測定部１０、第２の電波検出部１６および第２の電文解析部１９に対してチャンネルの変更を行う。このように、システム毎に通信チャンネルが競合しないように、設定変更して通信する場合にも対応できる。
【００３２】
また、第１の周波数帯域における電波の有無を検出する第１の電波検出部１５と、第２の周波数帯域における電波の有無を検出する第２の電波検出部１６を含む電波検出部１４から、第１の周波数帯域における電波強度を測定する第１の電波強度測定部９と、第２の周波数帯域における電波強度を測定する第２の電波強度測定部１０を含む電波強度測定部８を介して制御部２３へ測定された複数の電波強度を電波強度表示部１７で表示する。この電波強度表示部１７により、第１の周波数帯域（いわゆるメインチャンネル）における通信と第２の周波数帯域（いわゆるサブチャンネル）以外の電波状況も確認できる。
【００３３】
（実施の形態３）
本発明の第３の実施の形態について図面を用いて説明する。
【００３４】
図３は自動検針無線機を含む自動検針システムおよび自動検針無線計測装置のブロック図である。図１と同一の物には同一の符号を付してある。
【００３５】
１は隔測検針装置であり回線およびＴ−ＮＣＵ２を介して自動検針無線機３の無線親機４と接続される。自動検針無線機３の無線子機５は前記無線親機４に対向して設けられ需要家のメータ６に接続される。
【００３６】
７は自動検針無線計測装置で、８は第１の周波数帯域における電波強度を測定する第１の電波強度測定部９と、第２の周波数帯域における電波強度を測定する第２の電波強度測定部１０を含む複数の電波強度測定部、１１は第１の電波強度算出部１２、第２の電波強度算出部１３を含む複数の電波強度算出部、１４は第１の周波数帯域における電波の有無を検出する第１の電波検出部１５と、第２の周波数帯域における電波の有無を検出する第２の電波検出部１６を含む複数の電波検出部、１７は複数の周波数帯域における電波強度を同時に表示可能な電波強度表示部、１８は第１の周波数帯域における電波から通信内容を解析する第１の電文解析部、１９は第２の周波数帯域における電波から通信内容を解析する第２の電文解析部、２０は現在時刻を計数する時刻計数部、２１は第１の電文解析部１８および第２の電文解析部１９から受信した内容を記憶する記憶部、２４は第１の周波数帯域を選択する第１の周波数選択部、２５は第２の周波数帯域を選択する第１の周波数選択部、２３は記憶部に記憶された内容を電文表示部２２に表示させる制御部である。２６は第１の周波数帯域における電波の有無を検出する第１の電波検出部において、電波を検出すると第１の音色で電波受信を知らせる第１の音色発生部、２７は第２の周波数帯域における電波の有無を検出する第２の電波検出部において、電波を検出すると第２の音色で電波受信を知らせる第２の音色発生部である。
【００３７】
ここで、センターからの自動検針の場合、隔測検針装置１から回線およびＴ−ＮＣＵ２を介して自動検針無線機３の無線親機４に対して、メータの検針要求を送信し、無線親機４から無線子機５に対してメータの検針要求を無線送信して、無線子機５が需要家のメータ６に対して検針要求を送信する。無線子機５はメータ６からの検針応答を受信すると、無線親機４対して検針応答を無線送信し、無線親機４からＴ−ＮＣＵ２を介して隔測検針装置１に検針応答を送信する。こうして、メータ６の検針値をセンターで集中検針できる。
【００３８】
次に、自動検針無線計測装置の動作を説明する。
【００３９】
まず、自動検針無線計測装置は、無線親機４〜無線子機５間における相互の無線通信を監視し、第１の電波強度測定部９で第１の周波数帯域における電波強度を測定し、第１の電波強度算出部１２で一定時間内の電波強度の平均値を算出すると、第１の電波検出部１５で電波強度の平均値から受信検出レベルを設定し電波の有無を検出する。第２の電波強度測定部１０で第２の周波数帯域における電波強度を測定し、第２の電波強度算出部１３で一定時間内の電波強度の平均値を算出すると、第２の電波検出部１６で電波強度の平均値から電波の受信検出レベルを設定し電波の有無を検出する。なお、電波強度の平均値から数デシベル高めに電波の受信検出レベルを設定すれば、周囲の環境に合わせて受信検出レベルが設定できる。
【００４０】
さらに、第１の電波検出部１５で第１の周波数帯域における電波を検出すると第１の電文解析部１８で第１の周波数帯域における電波から通信内容を解析し、通信内容を制御部２３に送信する。このとき制御部２３は時刻計数部２０から現在時刻を同時に読み取り、記憶部２１に通信内容および現在時刻を記憶させる。また、第２の電波検出部１６で第２の周波数帯域における電波を検出すると第２の電文解析部１９で第２の周波数帯域における電波から通信内容を解析し、通信内容を制御部２３に送信する。このとき制御部２３は時刻計数部２０から現在時刻を同時に読み取り、記憶部２１に通信内容および現在時刻を記憶させる。このときの無線通信内容は送信元アドレス、送信先アドレス、データ種別、データ本文等であり、どこからどこへどのような通信が行われたかが判断できるものである。制御部２３は記憶部２１に記憶された通信内容および通信時刻等を電文表示部２２に表示させる。
【００４１】
ここで、第１の周波数選択部２４は第１の周波数帯域（メインチャンネル）たとえば１チャンネルから６チャンネルの中からを希望のチャンネルを選択する。第２の周波数選択部２５は第２の周波数帯域（サブチャンネル）たとえば１チャンネルから６チャンネルの中からを希望のチャンネルを選択する。第１の周波数選択部２４からのチャンネル選択により制御部２３は、第１の電波強度測定部９、第１の電波検出部１５および第１の電文解析部１８に対してチャンネルの変更を行う。第２の周波数選択部２５からのチャンネル選択により制御部２３は、第１の電波強度測定部１０、第２の電波検出部１６および第２の電文解析部１９に対してチャンネルの変更を行う。このように、システム毎に通信チャンネルが競合しないように、設定変更して通信する場合にも対応できる。
【００４２】
また、第１の周波数帯域における電波の有無を検出する第１の電波検出部１５と、第２の周波数帯域における電波の有無を検出する第２の電波検出部１６を含む複数の電波検出部１４から、第１の周波数帯域における電波強度を測定する第１の電波強度測定部９と、第２の周波数帯域における電波強度を測定する第２の電波強度測定部１０を含む複数の電波強度測定部８を介して制御部２３へ測定された複数の電波強度を電波強度表示部１７で表示する。この電波強度表示部１７により、第１の周波数帯域（いわゆるメインチャンネル）における通信と第２の周波数帯域（いわゆるサブチャンネル）以外の電波状況も確認できる。
【００４３】
第１の周波数帯域における電波の有無を検出する第１の電波検出部において、電波を検出すると第１の音色発生部２６は第１の音色で電波受信を知らせる。第２の周波数帯域における電波の有無を検出する第２の電波検出部において、電波を検出すると第２の音色発生部２７は第２の音色で電波受信を知らせる。この場合、第１の音色と第２の音色はブザー音などで発振周波数を変えれば容易に聞き分けでき、電波状況の確認が容易となる。
【産業上の利用可能性】
【００４４】
以上のように、本発明にかかる自動検針無線計測装置によると、自動検針無線機の無線通信時における通信不良となる原因を容易に識別することができるので、無線通信を行うデータ通信機器に適用することが出来る。
【図面の簡単な説明】
【００４５】
【図１】本発明の第１の実施の形態における自動検針無線機を含む自動検針システムおよび自動検針無線計測装置のブロック図
【図２】本発明の第２の実施の形態における自動検針無線機を含む自動検針システムおよび自動検針無線計測装置のブロック図
【図３】本発明の第３の実施の形態における自動検針無線機を含む自動検針システムおよび自動検針無線計測装置のブロック図
【符号の説明】
【００４６】
１  隔測検針装置
３  自動検針無線機
４  無線親機
５  無線子機
６  メータ
７  自動検針無線計測装置
８  電波強度測定部
９  第１の電波強度測定部
１０  第２の電波強度測定部
１１  電波強度算出部
１４  電波検出部
１５  第１の電波検出部
１６  第２の電波検出部
１７  電波強度表示部
１８  第１の電文解析部
１９  第２の電文解析部
２０  時刻計数部
２１  記憶部
２２  電文表示部
２３  制御部
２４  第１の周波数選択部
２５  第２の周波数選択部
２６  第１の音色発生部
２７  第２の音色発生部
【図１】
2005173771.tif 000003
【図２】
2005173771.tif 000004
【図３】
2005173771.tif 000005